(57)【要約】【課題】軟弱地盤等にハンドホールが配置されても、ケーブルが挿通不可能となるのを防止できる継手付きベルマウス及び管接続構造を提供する。【解決手段】継手付きベルマウスは、ハンドホール２の壁３に埋設されて内端開口部１２がハンドホール２内部側に開口する筒状部１０と、筒状部１０に連設されて外端開口部３９がハンドホール２外部側に開口する収納筒部１５とを備える。接続管体５の接続端部９を外端開口部３９側から管軸方向に沿って所定量差込んだ状態において、接続端部９が収納筒部１５に収納されて係合手段２０にて抜けが規制される。接続管体５は凸部７と凹部６とを管軸方向に交互に有する波形管である。抜け規制状態において接続端部９側の凸部７を包囲する規制筒部１６を収納筒部１５の外端側に連設する。ベルマウス軸線と接続管体５の管軸とがずれる外力作用の際に、規制筒部１６内部での接続管体５の折れ曲りを規制する。【選択図】図１
2007037266.tif 000002
【特許請求の範囲】
【請求項１】
ハンドホール（２）の壁（３）に埋設されてその内端開口部（１２）がハンドホール（２）内部側に開口する筒状部（１０）と、この筒状部（１０）の外端側に連設されてその外端開口部（３９）がハンドホール（２）外部側に開口する収納筒部（１５）とを備え、接続管体（５）の接続端部（９）を上記外端開口部（３９）側から管軸方向に沿って所定量差込んだ状態において、この接続管体（５）の接続端部（９）が上記収納筒部（１５）に収納されて、係合手段（２０）にて接続管体（５）の抜けが規制される継手付きベルマウスであって、上記接続管体（５）は上記接続端部（９）に凸部（７）と凹部（６）とを管軸方向に交互に有する管壁（８）が連設された波形管であり、かつ、上記接続管体（５）の抜け規制状態において接続管体（５）の接続端部（９）側の凸部（７）を包囲する規制筒部（１６）を、上記収納筒部（１５）の外端側に連設して、上記筒状部（１０）から離れる方向に向かって上記係合手段（２０）から規制筒部（１６）へと順に並べ、ベルマウス軸線と接続管体（５）の管軸とがずれる外力作用の際に、上記規制筒部（１６）にてこの規制筒部（１６）内部での接続管体（５）の折れ曲りを規制することを特徴とする継手付きベルマウス。
【請求項２】
上記接続管体（５）は、断面略方形状の複数の凸部（７）が所定ピッチで形成されてなる波形管であり、上記規制筒部（１６）を四角筒体から構成したことを特徴とする請求項１の継手付きベルマウス。
【請求項３】
上記接続管体（５）の接続端部（９）が円筒体にて構成され、上記凸部（７）の外面の一辺長さが上記接続端部（９）の外径よりも大きく設定され、上記規制筒部（１６）の相対面する内面間寸法を、上記収納筒部（１５）の内径寸法よりも大きくしたことを特徴とする請求項２の継手付きベルマウス。
【請求項４】
規制筒部（１６）が接続管体（５）の複数個の凸部（７）を包囲することを特徴とする請求項１〜請求項３のいずれかの継手付きベルマウス。
【請求項５】
上記収納筒部（１５）の外端側に連結用筒部（５５）を連設し、この連結用筒部（５５）に、接続管体（５）の複数個の凸部（７）を包囲する規制筒部（１６）を連設したことを特徴とする請求項１〜請求項４のいずれかの継手付きベルマウス。
【請求項６】
上記筒状部（１０）の少なくとも内端開口部（１２）側を波形管部（６２）として、この波形管部（６２）の山部（６１）の頂部にて切断することにより、筒状部（１０）の長さを調整可能にしたことを特徴とする請求項１〜請求項５のいずれかの継手付きベルマウス。
【請求項７】
ハンドホール（２）の壁（３）に埋設されてその内端開口部（１２）がハンドホール（２）内部側に開口すると共にその外端開口部（５４）がハンドホール（２）外部側に開口する筒状部（１０）を備えた継手付きベルマウスであって、接続される接続管体（５）は凸部（７）と凹部（６）とを管軸方向に交互に有する管壁（８）を備えた波形管であり、かつ、上記筒状部（１０）の外端側に上記接続管体（５）の端部側の複数個の凸部（７）が差込まれる規制筒部（１６）を連設すると共に、上記規制筒部（１６）に、接続管体（５）の凸部（７）間の凹部（６）に係合して接続管体（５）の抜けを規制する抜け止め部材（４２）を設け、ベルマウス軸線と接続管体（５）の管軸とがずれる外力作用の際に、上記規制筒部（１６）にてこの規制筒部（１６）内部での接続管体（５）の折れ曲りを規制することを特徴とする継手付きベルマウス。
【請求項８】
ハンドホール（２）の壁（３）に装着される継手付きベルマウス（１）と、凸部（７）と凹部（６）とを管軸方向に交互に有する管壁（８）を備えた接続管体（５）とを接続する管接続構造であって、接続管体（５）の接続端部（９）を継手付きベルマウス（１）の外端開口部（３９）側から管軸方向に沿って所定量差込んだ状態において係合して接続管体（５）の抜けを規制する係合手段（２０）を備えると共に、上記接続管体（５）の係合状態において、この接続管体（５）の接続端部側の凸部（７）を包囲して、ベルマウス軸線と接続管体（５）の管軸とがずれる外力作用の際に、継手付きベルマウス（１）内での接続管体（５）の折れ曲りを規制する規制筒部（１６）を設けたことを特徴とする管接続構造。
【請求項９】
上記接続管体（５）は、断面略方形状の複数の凸部（７）が所定ピッチで形成されてなる波形管であり、上記規制筒部（１６）を四角筒体から構成したことを特徴とする請求項８の管接続構造。
【発明の詳細な説明】
【技術分野】
【０００１】
この発明は、地中に埋設するハンドホール等に装着される継手付きベルマウス及び継手付きベルマウスを使用した管接続構造に関するものである。
【背景技術】
【０００２】
地中にケーブル管路を敷設する際に、ケーブルの中継点として管路の適宜間隔毎にハンドホールやマンホール（以下、マンホールを含めて両ホールを代表してハンドホールと呼ぶ）が設置される。そして、従来から、ケーブル管路（接続管体）接続用として、ハンドホールの周壁に装着される継手付きベルマウスが知られている（特許文献１参照）。
【０００３】
この継手付きベルマウス８０は、図１３に示すように、ハンドホール８１の壁８２に埋設される筒状部８３と、この筒状部８３の外端側に連設された継手部８４とを備える。そして、この継手部８４にケーブル管路（接続管体）８５の端部連結部８６が挿入されて連結される。
【０００４】
この場合、継手部８４にはリング状体を備えた係合手段が設けられている。すなわち、接続管体８５を連結する際には、端部連結部８６がこのリング状体を通過して、端部連結部８６の係合部がリング状体に係合することになる。このため、リング状体は、その一部に切欠部が形成されて径の拡縮が可能とされている。従って、このリング状体は継手部８４に遊嵌状に嵌合され、接続管体８５は継手付きベルマウス８０に対して僅かにぐらつく状態で接続されている。
【特許文献１】特許第３４３０３９６号明細書
【発明の開示】
【発明が解決しようとする課題】
【０００５】
しかしながら、ハンドホール８１が軟弱地盤上に配置された場合、このぐらつきに起因して、ハンドホール８１際でのベルマウス８０と接続管体８５との接合箇所で急激な曲がりが生じていた。このため、ベルマウス８０と接続管体８５等で構成する管路に、試験棒やケーブル等を通すことができなくなる場合がある。
【０００６】
この発明は、上記従来の欠点を解決するためになされたものであって、その目的は、軟弱地盤等にハンドホールが配置されても、ケーブルが挿通不可能となるのを防止できる継手付きベルマウス及び管接続構造を提供することにある。
【課題を解決するための手段】
【０００７】
上記の課題を解決するために、この発明の継手付きベルマウスは、ハンドホール２の壁３に埋設されてその内端開口部１２がハンドホール２内部側に開口する筒状部１０と、この筒状部１０の外端側に連設されてその外端開口部３９がハンドホール２外部側に開口する収納筒部１５とを備え、接続管体５の接続端部９を外端開口部３９側から管軸方向に沿って所定量差込んだ状態において、この接続管体５の接続端部９が上記収納筒部１５に収納されて、係合手段２０にて接続管体５の抜けが規制される継手付きベルマウスであって、上記接続管体５は上記接続端部９に凸部７と凹部６とを管軸方向に交互に有する管壁８が連設された波形管であり、かつ、上記接続管体５の抜け規制状態において接続管体５の接続端部９側の凸部７を包囲する規制筒部１６を、上記収納筒部１５の外端側に連設して、上記筒状部１０から離れる方向に向かって上記係合手段２０から規制筒部１６へと順に並べ、ベルマウス軸線と接続管体５の管軸とがずれる外力作用の際に、上記規制筒部１６にてこの規制筒部１６内部での接続管体５の折れ曲りを規制することを特徴としている。
【０００８】
上記接続管体５は、断面略方形状の複数の凸部７が所定ピッチで形成されてなる波形管であり、上記規制筒部１６を四角筒体から構成する。
【０００９】
また、上記接続管体５の接続端部９が円筒体にて構成され、上記凸部７の外面の一辺長さが上記接続端部９の外径よりも大きく設定され、上記規制筒部１６の相対面する内面間寸法を、上記収納筒部１５の内径寸法よりも大きくした。
【００１０】
さらに、規制筒部１６が接続管体５の複数個の凸部７を包囲する。
【００１１】
また、収納筒部１５の外端側に連結用筒部５５を連設し、この連結用筒部５５に、接続管体５の複数個の凸部７を包囲する規制筒部１６を連設した。
【００１２】
さらにまた、上記筒状部１０の少なくとも内端開口部１２側を波形管部６２として、この波形管部６２の山部６１の頂部にて切断することにより、筒状部１０の長さを調整可能にした。
【００１３】
また、この発明の他の継手付きベルマウスは、ハンドホール２の壁３に埋設されてその内端開口部１２がハンドホール２内部側に開口すると共にその外端開口部５４がハンドホール２外部側に開口する筒状部１０を備えた継手付きベルマウスであって、接続される接続管体５は凸部７と凹部６とを管軸方向に交互に有する管壁８を備えた波形管であり、かつ、上記筒状部１０の外端側に上記接続管体５の端部側の複数個の凸部７が差込まれる規制筒部１６を連設すると共に、上記規制筒部１６に、接続管体５の凸部７間の凹部６に係合して接続管体５の抜けを規制する抜け止め部材４２を設け、ベルマウス軸線と接続管体５の管軸とがずれる外力作用の際に、上記規制筒部１６にてこの規制筒部１６内部での接続管体５の折れ曲りを規制することを特徴としている。
【００１４】
この発明の管接続構造は、ハンドホール２の壁３に装着される継手付きベルマウス１と、凸部７と凹部６とを管軸方向に交互に有する管壁８を備えた接続管体５とを接続する管接続構造であって、接続管体５の接続端部９側を継手付きベルマウス１の外端開口部側から管軸方向に沿って所定量差込んだ状態において係合して接続管体５の抜けを規制する係合手段２０を備えると共に、上記接続管体５の係合状態において、この接続管体５の接続端部９側の凸部７を包囲して、ベルマウス軸線と接続管体５の管軸とがずれる外力作用の際に、継手付きベルマウス１内での接続管体５の折れ曲りを規制する規制筒部１６を設けたことを特徴としている。
【発明の効果】
【００１５】
この発明の継手付きベルマウスにおいては、接続管体の接続端部を外端開口部側から管軸方向に沿って所定量差込んだ状態において、接続管体が係合してこの接続管体の抜けを規制するので、連結作業として、接続管体の接続端部を外端開口部側から管軸方向に沿って差込むのみでよい。すなわち、いわゆるワン・タッチの連結作業を行うことができる。しかも、規制筒部にてこの規制筒部内部での接続管体の折れ曲りを規制するので、軟弱地盤地等にハンドホールが配置されて、ベルマウス軸線と接続管体の管軸とがずれる外力が作用しても、接続管体の折れ曲りを規制できる。特に、規制筒部が無ければ、上記係合手段による係合では継手付きベルマウスに対して接続管体が多少ぐらつく状態となる。しかしながら、係合部位よりも反筒状部側に離れた規制筒部にてそのぐらつきを防止することができるので、接続管体の折れ曲りを安定して規制することができる。このため、軟弱地盤地等にハンドホールが配置されていても、継手付きベルマウス及び接続管体等で構成される管路内に、ケーブルを安定して挿通させることができる。
【００１６】
接続管体が、その凸部が断面略方形状に形成されてなる波形管であり、規制筒部を四角筒体から構成することにより、折れ曲ろうとする力が作用した際には、凸部が規制筒部の内面に面接触状となる。このため、規制筒部内での接続管体の折れ曲り（湾曲）を確実に防止することができる。
【００１７】
また、接続管体の接続端部が円筒体にて構成され、凸部の外面の一辺長さが接続端部の外径よりも大きく設定され、規制筒部の相対面する内面間寸法を、上記収納筒部の内径寸法よりも大きくした場合、接続管体の支持面積が大きくなって、規制筒部内での接続管体の折れ曲り（湾曲）を安定して防止することができる。
【００１８】
規制筒部が接続管体の複数個の凸部を包囲するので、折れ曲り防止性の向上を図ることができる。また、収納筒部の外端側に連結用筒部を連設し、この連結用筒部に、接続管体の複数個の凸部を包囲する規制筒部を連設したものでは、規制筒部内での接続管体の折れ曲り（湾曲）を安定して防止することができる。特に、連結用筒部と規制筒部とが別部材であって、規制筒部が固定具等を介して連結用筒部に取付けられるものであれば、接続される接続管体の凹凸のピッチ等に応じて、軸方向長さの相違する延長筒部を使用することができ、種々の接続管体に対応させることができ、現場での施工が容易となる。
【００１９】
筒状部の少なくとも内端開口部側を波形管部として、この波形管部の山部の頂部にて切断するので、装着するハンドホールの壁の厚さに応じて、この波形管部を切断することができる。このため、種々の厚さの壁に対応させて埋設することができる。また、山部の頂部において切断することによって、その切断端部が先端（ハンドホールに装着された場合のハンドホール内部側）に向かって拡開するテーパ部となっており、その開口部が切断する前の筒状部の内端開口部と同様ラッパ状に開口し、ベルマウスとしてハンドホールの壁に安定して埋設することができる。
【００２０】
この発明の他の継手付きベルマウスにおいては、接続管体の端部を規制筒部に差込んだ状態において、接続管体の凹部に抜け止め部材が係合してこの接続管体の抜けを規制するので、連結作業として、接続管体の端部を外端開口部側から管軸方向に沿って差込むのみでよい。すなわち、いわゆるワン・タッチの連結作業を行うことができる。このため、接続管体に筒状の接続端部を形成する必要がなく、長尺状の接続管体を任意の部位（例えば、凹部）において切断して使用することができ、敷設現場における接続管体の長さ調整が可能である。しかも、ベルマウス軸線と接続管体の管軸とがずれる外力作用の際に、規制筒部にてこの規制筒部内部での接続管体の折れ曲りを規制するので、軟弱地盤地等にハンドホールが配置されて、ベルマウス軸線と接続管体の管軸とがずれる外力が作用しても、接続管体の折れ曲りを規制できる。
【００２１】
この発明の管接続構造においては、接続管体の接続端部をベルマウスの外端開口部側から管軸方向に沿って所定量差込んだ状態において、接続管体が係合してこの接続管体の抜けを規制するので、連結作業として、接続管体の接続端部を外端開口部側から管軸方向に沿って差込むのみでよい。すなわち、いわゆるワン・タッチの連結作業を行うことができる。しかも、接続管体の係合状態においては、接続管体の接続端部側の凸部を規制筒部にて包囲して、接続管体の折れ曲りを規制するので、接続管体の接続箇所での折れ曲り（湾曲）を回避することができる。このため、軟弱地盤等にハンドホールが配置されていても、この管接続構造を使用した管路内に、ケーブルを安定して挿通させることができる。
【発明を実施するための最良の形態】
【００２２】
次に、この発明の継手付きベルマウス及び管接続構造の具体的な実施の形態について、図面を参照しつつ詳細に説明する。図１は継手付きベルマウスの半截断面図であり、図２はその正面図であり、図３は図１のＸ−Ｘ線断面図である。この継手付きベルマウス１は、ハンドホール２の壁（周壁）３に装着されて、接続管体５が接続されるものである。この場合の接続管体５は、接続端部９に、環状の凹部６と凸部７とを管軸方向に交互に有する管壁８が連設された合成樹脂製の波形管である。図７等に示すように、凸部７が断面略正方形状に形成され、凹部６が断面略円形状に形成されている。すなわち、この接続管体５は、複数の凸部７が所定ピッチで形成されてなる波形管である。そして、接続管体５に、例えば電線ケーブルや光ファイバーケーブル等のケーブル類を収容するものである。また、接続管体５の接続端部９が円筒体にて構成され、凸部７の外面の一辺長さ（Ｂ）が接続端部９の外径よりも大きく設定される。
【００２３】
継手付きベルマウス１は合成樹脂からなり、上記壁３に埋設される円筒体からなる筒状部１０と、この筒状部１０の外端側の継手部１１とを備える。そして、筒状部１０の内端開口部（継手付きベルマウス１の内端開口部）１２はハンドホール２に向かって拡開するラッパ状に、ハンドホール２内部側に開口している。なお、この筒状部１０にはその軸心方向中間部に止水部材（止水テープ）１３が巻設されている。
【００２４】
継手部１１は、接続管体５の接続端部９が挿入されて係合する収納筒部１５と、この収納筒部１５の外端側に連設される規制筒部１６とからなる。また、収納筒部１５は、短角筒状体（八角筒体）からなる第１筒部１７と、この第１筒部１７と収納筒部１５との間に配設される短円筒状体からなる第２筒部１８からなり、第２筒部１８の第１筒部１７側には大径部１９が設けられている。このため、第１筒部１７によって、この収納筒部１５内に、図４〜図６に示すような後述する係合手段２０のリング状体２１が嵌合する嵌合用スペース２２が形成される。また、大径部１９によって、収納筒部１５の内面に周方向溝２３が形成されている。
【００２５】
また、規制筒部１６は四角筒体からなり、図１の仮想線で示すように、接続管体５の接続端部９側の複数個の凸部７・・が収容（包囲）される。このため、規制筒部１６は、その周壁１４（４つの側壁２４からなる）の相対面する内面間寸法Ａ１、Ａ２（図２参照）を略同一とすると共に、接続管体５の凸部７の外面の一辺の長さ寸法Ｂと略同一または僅かに大きくし、規制筒部１６の相対面する内面間寸法Ａ１、Ａ２を、上記収納筒部１５の内径寸法よりも大きくした。さらに、内部の軸方向長さＣを接続管体５の凸部７が２〜３個分収納できる長さとしている。すなわち、筒状部１０から遠ざかる方向に向かって係合手段２０から規制筒部１６へと順に並ぶことになる。
【００２６】
ところで、接続管体５の接続端部９は、その外周面２５には周方向凹溝２６が設けられると共に、外周面２５の端部には、外面が一端側（筒状部側）に向かって縮径する傾斜面２９である周方向膨出部２７が設けられている。すなわち、この周方向膨出部２７の端面２８が係合手段２０のリング状体２１に係合する係合部３０となる。また、周方向凹溝２６には、シール部材（パッキン）３１が嵌合されている。このシール部材３１は断面三角形状の弾性リング状体からなり、自由状態では、その外周面が外端側に向かって拡径するテーパ面（先細テーパ面）となっている。
【００２７】
また、係合手段２０のリング状体２１は、図４〜図６に示すように、その一部に切欠部３２を有し、径が拡縮するものである。すなわち、リング状体２１は、断面矩形状の本体リング部３３と、この本体リング部３３の内周面に連設される断面三角形状の内部リング部３４とからなる。内部リング部３４は、本体リング部３３の他端側（外端側）に配設され、その内周面が一端側（内端側）に向かって順次拡径する案内傾斜面３５となっている。そして、この内部リング部３４の案内傾斜面３５の他端縁３５ａを本体リング部３３の他端側の内周縁３６ａに一致させていると共に、内部リング部３４の一端縁３５ｂを本体リング部３３の幅方向（厚さ方向）の中間位置に対向させている。このため、リング状体２１には、内部リング部３４の端面にて係止段部３７が形成される。
【００２８】
そして、図４に示すように、リング状体２１を収納筒部１５の嵌合用スペース２２に嵌入する。この際、リング状体２１は拡縮可能であるので、僅かに縮径させることによって嵌入することができる。そして、嵌合用スペース２２に嵌入させた状態では、リング状体２１は遊嵌状に嵌合しており、拡縮が可能となっている。なお、図４においては、継手部１１の第２筒部１８で切断して規制筒部１６を省略している。
【００２９】
上記のように構成された継手付きベルマウス１は、図１に示すように、その筒状部１０がハンドホール２の周壁３に埋設されて、その内端開口部１２がハンドホール２内部側に開口すると共に、収納筒部１５の外端開口部３９がハンドホール２外部側に開口し、この収納筒部１５の外端側に規制筒部１６が連設されている。
【００３０】
そして、ハンドホール２の周壁３に装着（設置）された状態の継手付きベルマウス１に接続管体５を接続することになる。この際、接続管体５を上記外端開口部３９側（具体的には、規制筒部１６の外端開口部４０）から管軸方向に沿って差込むことになる。接続管体５の接続端部９の膨出部２７がリング状体２１に指しかかれば、この膨出部２７のテーパ面がリング状体２１の内部リング部３４の案内傾斜面３５に当接し、さらに押し込めば、テーパ面が案内傾斜面３５に対して摺接して内端側に侵入して行き、リング状体２１は拡径する。これによって、膨出部２７がこの内部リング部３４を越えることができる。そして、膨出部２７が内部リング部３４を越えれば、リング状体２１は縮径して元の状態に戻る。この状態では、接続管体５の接続端部９の係合部３０がリング状体２１の係止段部３７に係合して、接続管体５の抜けを規制する。すなわち、リング状体２１が嵌合用スペース２２に嵌入しているので、膨出部２７が係合部３０に係合すれば、接続管体５の抜け及び接続管体５の外端側へのさらなる突入を防止できる。また、この係合状態では、シール部材３１の外周縁部が第２筒部１８の内面に圧接した状態となっている。
【００３１】
このように、接続管体５の接続端部９を外端開口部３９側から管軸方向に沿って所定量差込んだ状態において、接続管体５の係合部３０が係合してこの接続管体５の抜けを規制するので、連結作業として、接続管体５の接続端部９を外端開口部３９側から管軸方向に沿って差込むのみでよい。すなわち、いわゆるワン・タッチの連結作業を行うことができる。しかも、規制筒部１６に接続管体５の複数個（図例では２個）の凸部７が包囲されるので、ベルマウス軸線と接続管体５の管軸とがずれる外力作用の際に、規制筒部１６にてこの規制筒部１６内部での接続管体５の折れ曲りを規制する。特に、規制筒部が無ければ、上記係合手段による係合では継手付きベルマウスに対して接続管体が多少ぐらつく状態となる。しかしながら、係合部位よりも反筒状部側に離れた規制筒部にてそのぐらつきを防止することができるので、接続管体５の折れ曲りを安定して規制することができる。このため、軟弱地盤地等にハンドホール２が配置されて、ベルマウス軸線と接続管体５の管軸とがずれる外力が作用しても、接続管体５の折れ曲りを規制できる。したがって、軟弱地盤地等にハンドホール２が配置されていても、継手付きベルマウス１及び接続管体５等で構成される管路内に、ケーブルを安定して挿通させることができる。
【００３２】
また、上記のようにリング状体２１を備えた係合手段２０では、接続管体５の接続端部９を差込んで行けば、その接続端部９の膨出部２７が案内傾斜面３５に摺接して、リング状体２１が拡径してこの接続端部９の差込みを許容する。そして、接続管体５の所定量の差込み状態で、接続管体５の係合部３０にリング状体２１の係止段部３７が係合するので、この継手付きベルマウス１からの接続管体５の抜けを防止することができる。このため、連結作業の簡略化を図ることができると共に、抜け防止の確実性を高めることができる。
【００３３】
さらに、接続管体５は凸部７が断面略方形状に形成されてなる波形管であると共に、規制筒部１６が四角筒体であるので、折れ曲ろうとする力が作用した際には、凸部７が規制筒部１６の内面に面接触状となり、規制筒部１６による接続管体５の接続箇所での折れ曲り（湾曲）を確実に防止することができる。また、接続管体５の接続端部９が円筒体にて構成され、凸部７の外面の一辺長さが接続端部９の外径よりも大きく設定され、規制筒部１６の相対面する内面間寸法Ａ１、Ａ２が、上記収納筒部９の内径寸法よりも大きく設定されているので、接続管体９の支持面積が大きくなって、規制筒部１６内での接続管体５の折れ曲り（湾曲）を安定して防止することができる。
【００３４】
このように、図１に示すような継手付きベルマウス１と、接続管体５と、係合手段２０等で構成する管接続構造では、接続管体５の接続端部９を継手付きベルマウス１の外端部から差込むのみで連結することができる。しかも、接続管体５の係合状態においては、規制筒部１６内での接続管体５の折れ曲りを規制するので、この管接続構造を使用した管路内に、ケーブルを安定して挿通させることができる。ところで、図１では、筒状部１０のみがハンドホール２の周壁３に埋設されているが、継手付きベルマウス１全体、つまり筒状部１０と収納筒部１５と規制筒部１６との全部をハンドホール２の周壁３に埋設するようにしてもよい。このように、継手付きベルマウス１全体をハンドホール２の周壁３に埋設するようにすれば、規制筒部１６自体がハンドホール２の周壁３のコンクリートで、バックアップされる形となり、ハンドホール際での接続管体５の折れ曲りをより一層抑制することができる。
【００３５】
次に、図７から図１０は他の実施の形態を示し、この場合、この継手付きベルマウス１は、上記図１における収納筒部１５を省略したもとなって、この筒状部１０の内端開口部１２がハンドホール２内部側に開口し、筒状部１０の外端開口部５４がハンドホール２外部側に開口に開口し、筒状部１０の外端に規制筒部１６が連設されている。そして、この規制筒部１６の外端開口部が差込口４０を構成する。また、リング状体２１を有する係合手段２０を使用せず、係止片４１を有する抜け止め部材４２を使用している。この場合の抜け止め部材４２は、薄肉剛性材としての金属板を打ち抜き加工、及び折曲加工することによって成形されている。すなわち、抜け止め部材４２は、規制筒部１６の一の側壁２４に取付けられる基片４３と、この基片４３の反差込口側の端縁部から連設される上記係止片４１とを備える。この係止片４１は、反差込口側に向かって順次規制筒部１６の中心軸側に向かって傾斜している。また、この係止片４１には付勢片４４が設けられている。付勢片４４は、係止片４１に略Ｕの字状の切欠部を設け、その切欠部に囲まれる残部を、反中心軸方向に起すことによって形成される。このため、係止片４１及び付勢片４４は板バネとして機能して、中心軸に対して接近離間する方向に変位する。また、係止片４１の反差込口側の端縁（長辺）の両端部には、反差込口側に向かって尖る食い込み爪４５、４５が突設されている。
【００３６】
また、基片４３には一対の止め片４６、４６が設けられている。この止め片４６、４６は、基片４３に略Ｕの字状の切欠部を設け、その切欠部に囲まれる残部を、反中心軸方向に起すことによって形成される。そして、側壁２４には貫通孔４７、４７が設けられ、規制筒部１６内に挿入した抜け止め部材４２の止め片４６、４６を、側壁２４の貫通孔４７、４７に差込み、側壁２４に外部に露出した止め片４６、４６を折り曲げる。これによって、抜け止め部材４２の基片４３を側壁２４の内面に当接した状態で、この抜け止め部材４２を側壁２４に取付けることになる。
【００３７】
ところで、規制筒部１６の一つの側壁２４の略中央部分に凹窪部４８を設け、これによって、内部に突出する突起４９を形成する。この突起４９は、反差込口側に向かって順次中心軸側に傾斜する傾斜面５０と、この傾斜面５０の先端縁から反軸心側へ立上がる立上り面５１とを備える。そして、上記抜け止め部材４２は、この突起４９を設けた側壁２４（２４ａ）と、これに対向する側壁２４（２４ｂ）とに配置している。
【００３８】
そして、この継手付きベルマウス１と、接続管体５とを接続する場合においても、上記図１に示した継手付きベルマウス１のように、接続管体５を規制筒部１６の外端開口部（差込口）４０から管軸方向に沿って差込めばよい。この場合の接続管体５は、上記図１に示す場合と相違して係合部３０を有する接続端部９を設ける必要がなく、このような接続端部９に代えて短円筒状の端部９ａを設けている。なお、接続管体５を挿入するに際には、接続管体５の端部９ａにシール材（パッキン）３８が外嵌される。すなわち、後述するように、接続管体５がこの継手付きベルマウス１に挿入されれば、図１０に示すように、筒状部１０の内周面と接続管体５の端部９ａの外周面との間にパッキン３８が介設されることになる。接続管体５を挿入していけば、接続管体５の端部側の凸部７が係止片４１に当接し、この当接した状態からさらに押し込んでいけば、係止片４１はそのバネ性により、外側方（反中心線側）に揺動してこの凸部７の筒状部１０側への侵入を許容する。そして、この凸部７が係止片４１に対応したときには、係止片４１及び付勢片４４を介して突起４９を外側方へ徐々に押し広げて、規制筒部１６の側壁２４が外側方へ拡開して、この凸部７の通過を許容する。
【００３９】
その後、図１０に示すように、筒状部１０側の凸部７の筒状部側端面５２が、規制筒部１６と筒状部１０との間に形成される段差面５３に当接し、この状態では、立上り面５１に凸部７の差込口側の外縁部の一部が当接している。さらに、係止片４１が凹部６に対応して、その弾性力及び付勢片４４の付勢力にて復元して、凹部６に嵌合する。この際、基片４３がこれに対応する凸部７と、側壁２４との間に挟持され、係止片４１の傾斜状態を安定して保持（確保）することができる。また、係止片４１には食い込み爪４５、４５が設けられているので、この食い込み爪４５、４５が凸部７の差込口側の端面に食い込んでいる。
【００４０】
このように、図７〜図１０に示す継手付きベルマウスにおいては、接続管体５の差込みの際に、係止片４１が揺動して接続管体５の差込みを許容するので、接続管体５を楽に差込むことができる。そして、接続管体５の筒状部１０側の凸部７がこの係止片４１を越えたときに、係止片４１が傾斜状に復帰して接続管体５の凹部６に嵌合するので、この継手付きベルマウス１からの接続管体５の抜けを防止することができる。このため、連結作業の簡略化を図ることができると共に、抜け防止の確実性を高めることができる。さらに、食い込み爪４５、４５が凸部７の差込口（外端開口部）４０側の端面に食い込んでいると共に、立上り面５１に凸部７の差込口側の外縁部の一部が当接している。このため、抜け機能の向上を図ることができる。なお、この実施の形態では、図１０に示すように、継手付きベルマウス１に接続管体５が接続された状態においては、接続管体５は、その凸部７が３個と凹部６が２個とが規制筒部１６に嵌合しているが、もちろんこれらの数に限定されない。
【００４１】
また、この継手付きベルマウスにおいては、リング状体２１を有する係合手段２０を使用しないので、係合部３０を有する接続端部９を設ける必要はない。このため、この継手付きベルマウスに対応する接続管体５として、長尺状の接続管体５を任意の部位（例えば、凹部）において切断して使用することができ、敷設現場における接続管体５の長さ調整が可能である。しかも、接続管体５の係合状態においては、接続管体５の端部の複数個の凸部７（図例では、２個）を規制筒部１６にて包囲して、接続管体５の折れ曲りを規制している。このため、この管接続構造を使用した管路内に、ケーブルを安定して挿通させることができる。
【００４２】
次に図１１は別の継手付きベルマウス１を示し、この場合、収納筒部１５の外端側に接続用筒部５５を連設し、この接続用筒部５５に、規制筒部１６となる延長筒部５６を連設している。すなわち、この継手付きベルマウス１は、筒状部１０と、この筒状部１０の外端側に連設される継手部１１とを備え、継手部１１は、接続管体５の接続端部９が挿入されて係合する収納筒部１５と、この収納筒部１５の外端側に連設される上記接続用筒部５５とからなる。
【００４３】
そして、接続用筒部５５は短四角筒体からなり、四角筒体からなる延長筒部５６の端部が嵌入され、連結用筒部５５と延長筒部５６とが一体化されている。この連結用筒部５５と延長筒部５６との固定は、接着、溶着、融着等の手段を使用しても、図１１に示す係止爪５７等の固定具を使用してもよい。係止爪５７を用いる場合、係止爪５７として、ハンドホール内側に向かって順次中心軸方向へ傾斜する傾斜片５８を有するものとする。そして、延長筒部５６の端部外面に凹窪部５９を設け、連結用筒部５５に延長筒部５６を差込むことによって、係止爪５７を凹窪部５９に係合させるようにする。すなわち、連結用筒部５５に延長筒部５６を差込むことによって、延長筒部５６の端部にて係止爪５７の傾斜片５８を押圧して、この傾斜片５８を外側方へ揺動させて、延長筒部５６の端部の差込みを許容する。そして、傾斜片５８が凹窪部５９に対応した際に、元の状態に復帰して、凹窪部５９に嵌合するようにすればよい。
【００４４】
また、この延長筒部５６にて構成される規制筒部１６には接続管体５の接続端部９側の複数個の凸部７・・が収容（包囲）される。このため、延長筒部５６は、その周壁６３（４つの側壁６４からなる）の相対面する内面間寸法を略同一とすると共に、接続管体５の凸部７の各辺の長さ寸法Ｂ（図１参照）と略同一または僅かに大きくし、さらに、軸方向長さを接続管体５の凸部７が複数個（図例では７個であるが、もとろんこれに限るものではない）分だけ収納できる長さとしている。また、この図１１に示す継手付きベルマウス１では、図示省略しているが、図４〜図６等に示すようなリング状体２１を備えた係合手段２０が設けられる。なお、この場合の収納筒部１５等の構成としても、図１に示す収納筒部１５等と同様であるので、このような同一構成については同一符号を付してその説明を省略している。
【００４５】
この図１１に示す継手付きベルマウス１であっても、差込口４０（規制筒部１６の外端開口部であって、延長筒部５６の外端開口部）から接続管体５の接続端部９を差込めば、リング状体２１に接続管体５の係合部３０が係合してこの接続管体５の外端側への抜けを規制することができて連結することができる。また、接続管体５の係合状態においては、接続管体５の接続端部９側の複数個の凸部７・・を規制筒部１６にて包囲して、接続管体５の折れ曲りを規制するので、上記図１に示す継手付きベルマウス１と同様の作用効果を発揮することができる。しかも、連結用筒部５５と延長筒部５６とが別部材であって、延長筒部５６が固定具を介して連結用筒部５５に取付けられるものであれば、接続される接続管体５の凹凸のピッチ等に応じて、軸方向長さの相違する延長筒部５６を使用することができ、種々の接続管体５に対応させることができ、現場での施工が容易となる。
【００４６】
ところで、筒状部１０として図１２に示すように、外周面に凹部（谷部）６０と凸部（山部）６１とが管軸方向に沿って交互に配置される波形管部６２を備えたものであってもよい。この場合、凹部６０と凸部６１とはそれぞれ環状に形成され、山部６１をその断面形状を略三角形状としている。そして、この山部６１の頂部で切断するようにしている。すなわち、図１２に示すように、例えば、波形管部６２の全長をＬとしたときに、その一端から一つまたは２つ他端側の山部６１をその頂部において切断することによって、波形管部６２の長さ寸法をＬ１やＬ２のように、短くすることができる。すなわち、筒状部１０の長さを調整可能にしている。また、このように山部６１の頂部にて切断することによって、ラッパ状に拡径する内端開口部１２を形成することができる。なお、この切断においては、もちろん波形管部６２の任意の山部６１の頂部を切断することができる。
【００４７】
このように、波形管部６２の任意の山部６１の頂部において切断するので、装着するハンドホール２の壁３の厚さに応じて、この波形管部６２を切断することができる。このため、種々の厚さの壁３に対応させて埋設することができる。また、山部６１の頂部において切断することによって、その切断端部が先端に向かって拡開するテーパ部となっており、その開口部が切断する前の筒状部１０の内端開口部１２と同様ラッパ状に開口し、ベルマウスとしてハンドホール２の壁３に安定して埋設することができる。
【００４８】
以上にこの発明の具体的な実施の形態について説明したが、この発明は上記形態に限定されるものではなく、この発明の範囲内で種々変更して実施することができる。例えば、上記各実施形態では、接続管体５を、凸部７が断面略方形状に形成されてなる波形管としたが、もちろん断面円形状の凸部７が有するものであっても、また、螺旋管であってもよい。このため、規制筒部１６として図例のような四角筒体に限るものではない。例えば、接続管体５の凸部７が円形のものであれば、規制筒部１６として接続管体５の凸部７が収納される円筒体や多角筒体等にて構成することができる。さらに、規制筒部１６は接続管体５の折れ曲りを規制するものであればよいので、凸部７を収納する数として、その増減は任意であり、少なくとも１個があればよい。しかしながら、複数個の凸部７・・を収納するようにすれば、規制筒部１６内への収納長さが大となって、折れ曲りを規制する上でより好ましい。また、係合手段２０として抜け止め部材４２を使用する場合、図７等では相対面する一対の側壁２４ａ、２４ｂに設けたが、他の側壁２４ｃ、２４ｄに設けてもよい。さらに、図１１においては、接続用筒部５５に、規制筒部１６を構成する延長筒部５６の端部を嵌入させているが、延長筒部５６の端部を連結用筒部５５に外嵌するようにしてもよい。さらに、図１２に示すように、波形管部６２を備えたものであれば、筒状部１０全体を波形管部６２にて構成しても、内端開口部側のみを波形管部６２にて構成してもよい。また、この波形管部６２の山谷部６１、６０のピッチや山部６１の高さ寸法等も任意に設定することができる。さらに、一つハンドホール２に配置される継手付きベルマウス１の数として、単数個であっても複数個であってもよい。ところで、上記各実施形態では、接続管体５を所定量の差込み状態で、接続管体５に継手付きベルマウス１が係合するものであるが、この所定量としては、接続管体５の係合が可能であって、しかもこの係合状態において規制筒部１６に、接続管体５の凸部７を少なくとも１個分を包囲できる範囲で任意に設定することができる。なお、継手付きベルマウス１や接続管体５の素材として特に限定されるものではないが、例えば、ポリエチレン樹脂（ＰＥ）やポリプロピレン樹脂（ＰＰ）等のポリオレフィン系樹脂によって形成すれば、耐水性・耐候性に優れ、経時劣化が少ない点で好ましい。
【図面の簡単な説明】
【００４９】
【図１】この発明の継手付きベルマウスの実施形態を示す半截断面図である。
【図２】上記継手付きベルマウスの正面図である。
【図３】上記図１のＸ−Ｘ線断面図である。
【図４】上記継手付きベルマウスの斜視図である。
【図５】係合手段のリング状体の正面図である。
【図６】係合手段のリング状体の断面図である。
【図７】この発明の継手付きベルマウスの他の実施形態の斜視図である。
【図８】上記継手付きベルマウスの断面図である。
【図９】上記継手付きベルマウスの要部分解斜視図である。
【図１０】上記継手付きベルマウスの接続管体接続状態を示す断面図である。
【図１１】この発明の継手付きベルマウスの別の実施形態の簡略断面図である。
【図１２】この発明の継手付きベルマウスのさらに別の実施形態の要部簡略断面図である。
【図１３】従来の継手付きベルマウスの側面図である。
【符号の説明】
【００５０】
２・・ハンドホール、３・・壁、５・・接続管体、６・・凹部、７・・凸部、８・・管壁、１０・・筒状体、１２・・内端開口部、１６・・規制筒部、２０・・係合手段、３９・・外端開口部、４２・・抜け止め部材、５５・・連結用筒部、６１・・山部、６２・・波形管部
【図１】
2007037266.tif 000003
【図２】
2007037266.tif 000004
【図３】
2007037266.tif 000005
【図４】
2007037266.tif 000006
【図５】
2007037266.tif 000007
【図６】
2007037266.tif 000008
【図７】
2007037266.tif 000009
【図８】
2007037266.tif 000010
【図９】
2007037266.tif 000011
【図１０】
2007037266.tif 000012
【図１１】
2007037266.tif 000013
【図１２】
2007037266.tif 000014
【図１３】
2007037266.tif 000015